(57)【要約】【課題】時計全体の薄型化を図り、且つ衝撃が加わっても表示パネルの破損を防ぐ。【解決手段】腕時計ケース１の上面側にパネル取付部６を形成し、その上側にガラス装着部７を形成し、パネル取付部６に表示パネル８を取り付け、その上側のガラス装着部７に時計ガラス９を装着した。従って、時計全体の薄型化を図ることができる。また、表示パネル８の上面周囲に枠状の緩衝部材１１を配置し、この緩衝部材１１の上面に枠状の金属板１２を配置し、この状態で時計ガラス９をガラス装着部７に取り付けることによって金属板１２および緩衝部材１１を固定した。従って、緩衝部材１１全体を金属板１２で覆って押え込むことができ、このため外部から衝撃が加わっても、その衝撃が金属板１２によって緩衝部材１１の一部分に集中するのを防ぐことができ、これにより緩衝部材１１全体で衝撃を吸収できるので、衝撃による表示パネル８の破損を防ぐことができる。【選択図】        図２
2004264187.tif 000002
【特許請求の範囲】
【請求項１】
上面側にパネル取付部が形成されていると共に、このパネル取付部の上側にガラス装着部が形成された腕時計ケースと、
この腕時計ケースの上側から前記パネル取付部に取り付けられる表示パネルと、
前記ガラス装着部に取り付けられる時計ガラスと、
前記表示パネルの上面周囲に配置された枠状の緩衝部材と、
この緩衝部材の上面に配置された枠状の硬質部材とを備え、
前記時計ガラスを前記ガラス装着部に取り付けることによって前記硬質部材および前記緩衝部材が固定されることを特徴とする腕時計。
【請求項２】
上面側にパネル取付部が形成されていると共に、このパネル取付部の上側にガラス装着部が形成された腕時計ケースと、
この腕時計ケースの上側から前記パネル取付部に取り付けられる表示パネルと、
前記ガラス装着部に取り付けられる時計ガラスと、
この時計ガラスと前記ガラス装着部との間に配置されるパッキン部および前記表示パネルの上面周囲に配置されるほぼ枠状の緩衝部が一体に形成された弾性樹脂部材と、
この弾性樹脂部材の前記緩衝部の上面に配置された枠状の硬質部材とを備え、
前記時計ガラスを前記ガラス装着部に取り付けることによって前記弾性樹脂部材と前記硬質部材とが固定されることを特徴とする腕時計。
【請求項３】
前記表示パネルの下面に形成された接続端子に弾接する弾性接続部材を有し、この弾性接続部材によって前記表示パネルが上方に押圧されていることを特徴とする請求項１または２に記載の腕時計。
【請求項４】
前記腕時計ケースには、前記硬質部材の下面に対応する上面側の個所から前記腕時計ケースの下面に貫通する貫通孔が設けられていることを特徴とする請求項１〜３のいずれかに記載の腕時計。
【請求項５】
前記緩衝部材または前記弾性樹脂部材の前記緩衝部には、その内周側の端部から前記貫通孔に連続する切欠溝部が設けられていることを特徴とする請求項４に記載の腕時計。
【発明の詳細な説明】
【０００１】
【発明の属する技術分野】
この発明は、時刻などの情報を電気光学的に表示する表示パネルを備えた腕時計に関する。
【０００２】
【従来の技術】
従来、表示パネルとして液晶表示装置を備えた腕時計においては、時計全体の薄型化を図るために、腕時計ケース内における上面側に液晶表示装置を収納する第１の凹部を設け、この第１の凹部の上側に時計ガラスを取り付ける第２の凹部を設け、第１の凹部に液晶表示装置を収納し、その上側の第２の凹部に時計ガラスを取り付け、この状態で腕時計ケース内に収納された時計モジュールの回路基板と第１の凹部に収納された液晶表示装置とをインターコネクタによって電気的に接続すると共に、このインターコネクタの弾性力によって液晶表示装置を時計ガラスの下面に押圧させて固定した構造のものがある（例えば、特許文献１参照。）。
【０００３】
【特許文献１】
実開昭６０−１３７３９５号公報
【０００４】
【発明が解決しようとする課題】
しかしながら、このような腕時計では、時計全体の薄型化を図ることができても、液晶表示装置が時計ガラスの下面に直接接触した状態でインターコネクタの弾性力によって押圧されているので、外部から衝撃が加わると、その衝撃によって液晶表示装置が破損するという問題がある。
【０００５】
この発明の課題は、時計全体の薄型化を図り、且つ衝撃が加わっても表示パネルの破損を防ぐようにすることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図６に示すように、上面側にパネル取付部（６）が形成されていると共に、このパネル取付部の上側にガラス装着部（７）が形成された腕時計ケース（１）と、この腕時計ケースの上側から前記パネル取付部に取り付けられる表示パネル（８）と、前記ガラス装着部に取り付けられる時計ガラス（９）と、前記表示パネルの上面周囲に配置された枠状の緩衝部材（１１）と、この緩衝部材の上面に配置された枠状の硬質部材（金属板１２）とを備え、前記時計ガラスを前記ガラス装着部に取り付けることによって前記硬質部材および前記緩衝部材が固定されることを特徴とする腕時計である。
【０００７】
この発明によれば、腕時計ケースの上面側に形成されたパネル取付部に表示パネルを取り付け、その上側に形成されたガラス装着部に時計ガラスを装着したので、時計全体の薄型化を図ることができるほか、特に表示パネルの上面周囲に枠状の緩衝部材を配置し、この緩衝部材の上面に枠状の硬質部材を配置し、この状態で時計ガラスをガラス装着部に取り付けることによって硬質部材および緩衝部材を固定したので、緩衝部材全体を硬質部材で覆って押え込むことができ、このため外部から衝撃が加わっても、その衝撃が硬質部材によって緩衝部材の一部分に集中するのを防ぐことができ、これにより緩衝部材全体で衝撃を吸収することができるので、衝撃によって表示パネルが破損するのを防ぐことができる。
【０００８】
請求項２に記載の発明は、図７〜図９に示すように、上面側にパネル取付部（６）が形成されていると共に、このパネル取付部の上側にガラス装着部（７）が形成された腕時計ケース（１）と、この腕時計ケースの上側から前記パネル取付部に取り付けられる表示パネル（８）と、前記ガラス装着部に取り付けられる時計ガラス（９）と、この時計ガラスと前記ガラス装着部との間に配置されるパッキン部（３１）および前記表示パネルの上面周囲に配置されるほぼ枠状の緩衝部（３２）が一体に形成された弾性樹脂部材（３０）と、この弾性樹脂部材の前記緩衝部の上面に配置された枠状の硬質部材（金属板３５）とを備え、前記時計ガラスを前記ガラス装着部に取り付けることによって前記弾性樹脂部材と前記硬質部材とが固定されることを特徴とする腕時計である。
【０００９】
この発明によれば、請求項１に記載の発明と同様、腕時計ケースの上面側に形成されたパネル取付部に表示パネルを取り付け、その上側に形成されたガラス装着部に時計ガラスを装着したので、時計全体の薄型化を図ることができるほか、特に弾性樹脂部材が、時計ガラスとガラス装着部との間に配置されるパッキン部と、表示パネルの上面周囲に配置されるほぼ枠状の緩衝部とを、一体に形成した構造であるから、部品点数を削減することができると共に、弾性樹脂部材の緩衝部の上面に枠状の硬質部材を配置し、この状態で時計ガラスをガラス装着部に取り付けることによって弾性樹脂部材と硬質部材とを固定したので、弾性樹脂部材の緩衝部全体を硬質部材で覆って押え込むことができ、このため外部から衝撃が加わっても、その衝撃が硬質部材によって緩衝部の一部分に集中するのを防ぐことができ、これにより緩衝部全体で衝撃を吸収することができるので、衝撃によって表示パネルが破損するのを防ぐことができる。
【００１０】
請求項３に記載の発明は、図１〜図９に示すように、前記表示パネル（８）の下面に形成された接続端子に弾接する弾性接続部材（インターコネクタ１９）を有し、この弾性接続部材によって前記表示パネルが上方に押圧されていることを特徴とする請求項１または２に記載の腕時計である。
この発明によれば、表示パネルが弾性接続部材によって上方に押圧されているので、衝撃が加わっても、その衝撃を弾性接続部材と緩衝部材（１１）との両方、または弾性接続部材と弾性樹脂部材（３０）の緩衝部（３２）との両方で吸収することができ、このため、より一層確実に、表示パネルの破損を防ぐことができる。
【００１１】
請求項４に記載の発明は、図１〜図９に示すように、前記腕時計ケース（１）に、前記硬質部材（金属板１２、３５）の下面に対応する上面側の個所から前記腕時計ケースの下面に貫通する貫通孔（２１）が設けられていることを特徴とする請求項１〜３のいずれかに記載の腕時計である。
この発明によれば、時計ガラスを取り外すときに、腕時計ケースの下側から貫通孔に工具を差し込んで、緩衝部材または緩衝部、および硬質部材を介して時計ガラスを押し上げることにより、時計ガラスをガラス装着部から簡単に取り外すことができる。このため、工具が表示パネルに接触することがないので、表示パネルを傷付けることがなく、容易に且つ良好に表示パネルを取り外すことができる。
【００１２】
請求項５に記載の発明は、図１〜図９に示すように、前記緩衝部材（１１）または前記弾性樹脂部材（３０）の前記緩衝部（３２）に、その内周側の端部から前記貫通孔（２１）に連続する切欠溝部（２２）が設けられていることを特徴とする請求項４に記載の腕時計である。
この発明によれば、腕時計ケースのパネル取付部に表示パネルを取り付けた状態で、ガラス装着部に時計ガラスを装着するときに、時計ガラスと表示パネルとの間の空気が圧縮されても、この圧縮された空気が切欠溝部から貫通孔を通って腕時計ケースの下面側に抜けるので、腕時計ケースの内部を均一な空気圧にすることができ、このためガラス装着部に時計ガラスを装着しても、圧縮された空気が表示パネルに加わらないようにすることができる。
【００１３】
【発明の実施の形態】
［第１実施形態］
以下、図１〜図６を参照して、この発明の腕時計の第１実施形態について説明する。
図１はこの発明の腕時計の正面図、図２はそのＡ−Ａ矢視における拡大断面図である。この腕時計は、腕時計ケース１を備えている。この腕時計ケース１の上部外周部には、図２に示すように、ベゼルリング２が取り付けられていると共に、このベゼルリング２を覆って飾り部材３が取り付けられている。この飾り部材３の外周には、その一部を除いてステンレスなどの金属からなる第１ベゼル４が取り付けられている。また、この腕時計ケース１の下部外周部には、合成樹脂製の第２ベゼル５が第１ベゼル４の下部を覆って取り付けられている。
【００１４】
一方、腕時計ケース１の内部における上面側には、図２および図３に示すように、パネル取付部６がほぼ凹部形状に形成されており、このパネル取付部６の上部側には、ガラス装着部７がパネル取付部６よりも少し大きく形成されている。この腕時計ケース１のパネル取付部６には、図２に示すように、時刻などの情報を電気光学的に表示する液晶表示素子やＥＬ素子（エレクトロルミネッセンス素子）などの表示パネル８が配置されている。また、表示パネル８の上側に位置する腕時計ケース１のガラス装着部７には、時計ガラス９がパッキン１０を介して圧入によって装着されている。このパッキン１０は、リング状に形成され、図２に示すように、時計ガラス９の外周面とガラス装着部７の内周面との間に配置されている。
【００１５】
この場合、表示パネル８の上面周囲には、図２および図３に示すように、枠状の緩衝部材１１が配置されている。すなわち、この緩衝部材１１はウレタンゴムシートなどの弾性材料からなるシート状のもので、その外周部分がガラス装着部７の底面に配置された状態で、内周部分が表示パネル８の上面周囲に配置されるように構成されている。また、この緩衝部材１１の上面には、枠状の金属板１２が緩衝部材１１の全体を覆って配置されている。さらに、この金属板１２の上面と時計ガラス９の下面との間には、合成樹脂からなる枠状の見切り部材１３が配置されている。この見切り部材１３、金属板１２、および緩衝部材１１は、図２および図３に示すように、時計ガラス９をガラス装着部７に取り付けることにより、ガラス装着部７の上面と時計ガラス９の下面との間に固定されている。
【００１６】
また、表示パネル８の下側に位置する腕時計ケース１の内部には、図２に示すように、時計モジュール１４が収納されており、この時計モジュール１４の下側に位置する腕時計ケース１の下部には、図２および図３に示すように、裏蓋１５が防水リング１６を介して取り付けられている。時計モジュール１４は、ハウジング１７内に回路基板１８および電池（図示せず）を備えた構成になっており、この回路基板１８には、時計機能に必要な各種の電子部品が搭載されているほか、表示パネル８の両端下面に設けられた接続端子（図示せず）がインターコネクタ１９によって電気的に接続されていると共に、電池も電気的に接続されている。
【００１７】
この場合、インターコネクタ１９は、導電ゴムと絶縁ゴムとを交互に設けたゼブラタイプのもので、全体が帯板状に形成され、パネル取付部６に設けられたスリット状の挿入孔６ａに挿入され、この状態で表示パネル８の両端部の接続端子と回路基板１８の電極端子（図示せず）とを電気的に接続すると共に、表示パネル８の両端部を弾力的に押し上げて支持するように構成されている。また、この時計モジュール１４は、腕時計ケース１内に下側から挿入されて、ハウジング１７の上面がパネル取付部６の下面に当接した状態で、ハウジング１７の下面に設けられた押えゴム２０が裏蓋１５の上面に弾接することにより、腕時計ケース１内に固定されるように構成されている。
【００１８】
ところで、腕時計ケース１には、図２に示すように、金属板１２の下面に対応するガラス装着部７の底面から腕時計ケース１の下面に亘ってそれぞれ貫通する複数の貫通孔２１が形成されている。すなわち、これら貫通孔２１は、図４に示すように、腕時計ケース１の１２時側と６時側との個所においてそれぞれ２か所ずつ形成され、腕時計ケース１の下側から工具（図示せず）が挿入するように構成されている。また、このガラス装着部７の上面に配置された枠状の緩衝部材１１には、図５および図６に示すように、その内周側の端部から各貫通孔２１にそれぞれ連続する切欠溝部２２が設けられている。これら切欠溝部２２は、時計ガラス９と表示パネル８との間の上側空間部と、腕時計ケース１の下面側の下側空間部との両者の空気が貫通孔２１を通して双方向に流れるように構成されている。
【００１９】
なお、この腕時計ケース１の１２時と６時とに位置する外側部には、図２に示すように、それぞれバンド取付部２３が形成されており、これらバンド取付部２３には、ウレタン樹脂などの弾性を有する合成樹脂からなる時計バンド２４が裏蓋１５の下面および第２ベゼル５の下部外面に当接した状態で取付ピン２５によって取り付けられている。また、腕時計ケース１における６時側の側面には、図２に示すように、押釦２６が設けられている。この押釦２６は、釦頭部２７と釦軸２８とを備え、釦軸２８が腕時計ケース１にその出没方向にスライド移動可能に取り付けられ、この釦軸２８の外端部に釦頭部２７が取り付けられ、この釦頭部２７を押圧することにより、釦軸２８の内端部が腕時計ケース１内に突出して時計モジュール１４の接点部を押圧するように構成されている。
【００２０】
次に、このような腕時計ケース１に表示パネル８および時計ガラス９を組み付ける場合について説明する。この場合には、まず、腕時計ケース１内における上面側のパネル取付部６に表示パネル８を配置し、この表示パネル８の上面周囲に枠状の緩衝部材１１を配置すると共に、この緩衝部材１１の各切欠溝部２２の各端部における各一部を腕時計ケース１の各貫通孔２１に対応させる。そして、この緩衝部材１１の上面に枠状の金属板１２を配置すると共に、この金属板１２の上面に枠状の見切り部材１３を配置する。この状態で、腕時計ケース１のガラス装着部７に時計ガラス９をパッキン１０を介して圧入によって装着する。これにより、見切り部材１３、金属板１２、および緩衝部材１１がガラス装着部７の底面と時計ガラス９の下面との間に固定される。
【００２１】
また、この状態で腕時計ケース１に時計モジュール１４を組み込む場合には、ハウジング１７内の回路基板１８上にインターコネクタ１９を配置し、このインターコネクタ１９の上部をハウジング１７の上側に突出させ、この状態で時計モジュール１４を腕時計ケース１内に下側から挿入する。このときに、インターコネクタ１９の上端部をパネル取付部６に設けられたスリット状の挿入孔６ａに下側から挿入させ、この挿入したインターコネクタ１９の上端部を表示パネル８の両端下面の接続端子に接触させる。そして、腕時計ケース１の下面に裏蓋１５を取り付けると、ハウジング１７の下面に配置された押えゴム２０が裏蓋１５で押圧されるので、時計モジュール１４の上面がパネル取付部６の下面に当接して時計モジュール１４が腕時計ケース１内に固定される。これにより、インターコネクタ１９が表示パネル８の両端下面に弾接して表示パネル８を弾力的に押し上げて支持すると共に、このインターコネクタ１９によって表示パネル８と回路基板１８とが電気的に接続される。
【００２２】
このように、この腕時計によれば、表示パネル８の上面周囲に枠状の緩衝部材１１を配置し、この緩衝部材１１の上面に枠状の金属板１２を配置し、且つこの金属板１２上に枠状の見切り部材１３を配置し、この状態で時計ガラス９をガラス装着部７に取り付けることにより、見切り部材１３、金属板１２、および緩衝部材１１を固定したので、緩衝部材１１全体を金属板１２で覆って押え込むことができる。このため、外部から衝撃が加わっても、その衝撃が金属板１２によって緩衝部材１１の一部分に集中するのを防ぐことができ、これにより緩衝部材１１全体で衝撃を吸収することができるので、衝撃によって表示パネル８が破損するのを防ぐことができる。この場合、特に表示パネル８がインターコネクタ１９によって弾力的に上方に押圧されているので、外部から衝撃が加わっても、その衝撃をインターコネクタ１９と緩衝部材１１との両方で吸収することができ、このため、より一層確実に、表示パネル８の破損を防ぐことができる。
【００２３】
また、この腕時計では、腕時計ケース１内の上面側にパネル取付部６を形成し、その上側にガラス装着部７を形成して、パネル取付部６に表示パネル８を取り付け、その上側のガラス装着部７に時計ガラス９を装着したので、時計全体の薄型化を図ることができる。また、腕時計ケース１には、金属板１２の下面に対応するガラス装着部７の底面から腕時計ケース１の下面に貫通する複数の貫通孔２１が設けられているので、時計ガラス９を取り外すときに、腕時計ケース１の下側から各貫通孔２１に工具を差し込んで、緩衝部材１１、金属板１２、および見切り部材１３を介して時計ガラス９を押し上げることにより、時計ガラス９をガラス装着部７から簡単に取り外すことができる。このときには、工具が表示パネル８に接触することがないので、表示パネル８を傷付けることがなく、これにより表示パネル８を容易に且つ良好に取り外すことができる。
【００２４】
さらに、この腕時計では、緩衝部材１１に、その内周側の端部から複数の貫通孔２１にそれぞれ連続する複数の切欠溝部２２を設けたので、腕時計ケース１のパネル取付部６に表示パネル８を取り付けた状態で、ガラス装着部７に時計ガラス９を装着するときに、時計ガラス９と表示パネル８との間の空気が圧縮されても、この圧縮された空気が各切欠溝部２２から各貫通孔２１を通って腕時計ケース１の下面側に抜けるので、腕時計ケース１の内部を均一な空気圧にすることができる。このため、ガラス装着部７に時計ガラス９を装着しても、圧縮された空気が表示パネル８に加わらないようにすることができ、これにより表示パネル８で時刻などの情報を良好に表示させることができる。
【００２５】
［第２実施形態］
次に、図７〜図９を参照して、この発明の腕時計の第２実施形態について説明する。なお、図１〜図６に示された第１実施形態と同一部分には同一符号を付して説明する。
この腕時計は、腕時計ケース１のガラス装着部７と時計ガラス９との間に弾性樹脂部材３０を配置した構造で、これ以外は第１実施形態とほぼ同じ構造になっている。すなわち、この弾性樹脂部材３０は、ウレタン樹脂などの弾性を有する合成樹脂からなり、時計ガラス９の外周面とガラス装着部７の内周面との間に配置されるパッキン部３１と、表示パネル８の上面周囲に配置されるほぼ枠状の緩衝部３２とを一体に形成した構造になっている。
【００２６】
この場合、パッキン部３１は、図８および図９に示すように、腕時計ケース１のガラス装着部７の内周面に嵌合するリング状に形成されており、その所定個所には、ガラス装着部７の内周面に設けられた複数の係止凸部３３がそれぞれ挿入する複数の切欠部３４が緩衝部３２に亘って設けられている。また、緩衝部３２は、図７および図８に示すように、パッキン部３１の複数の切欠部３４に対応する個所を除いて、パッキン部３１の下端部から表示パネル８の上面周囲に向けて形成され、その外側部分がガラス装着部７の底面に配置された状態で、内側部分が表示パネル８の上面周囲に配置されるように構成されている。
【００２７】
また、この緩衝部３２にも、第１実施形態と同様、その内周側の端部から腕時計ケース１に設けられた複数の貫通孔２１にそれぞれ連続する複数の切欠溝部２２が設けられている。また、この緩衝部３２の上面にも、図８に示すように、枠状の金属板３５が配置されている。この金属板３５の外周部には、ガラス装着部７の係止凸部３３が嵌合する凹部（図示せず）が設けられている。さらに、この金属板３５の上面には、第１実施形態と同様、見切り部材１３が配置されている。この見切り部材１３、金属板３５、および弾性樹脂部材３０は、図７に示すように、時計ガラス９をガラス装着部７に取り付けることにより、ガラス装着部７と時計ガラス９との間に固定されている。
【００２８】
このような腕時計に表示パネル８および時計ガラス９を組み付ける場合には、まず、腕時計ケース１内における上面側のパネル取付部６に表示パネル８を配置した上、ガラス装着部７に弾性樹脂部材３０を配置する。このときには、ガラス装着部７の係止凸部３３に弾性樹脂部材３０のパッキン部３１の切欠部３４を対応させてパッキン部３１をガラス装着部７の内周面に嵌合させると共に、弾性樹脂部材３０の緩衝部３２をガラス装着部７の底面に配置させて緩衝部３２の内側部分を表示パネル８の上面周囲に配置し、この緩衝部３２の各切欠溝部２２の各端部における各一部を腕時計ケース１の各貫通孔２１にそれぞれ対応させる。
【００２９】
そして、この緩衝部３２の上面に枠状の金属板３５を配置し、この金属板３５の上面に枠状の見切り部材１３を配置する。この状態で、腕時計ケース１のガラス装着部７に時計ガラス９を弾性樹脂部材３０のパッキン部３１を挟み込んで圧入により装着する。これにより、見切り部材１３、金属板３５、および弾性樹脂部材３０の緩衝部３２がガラス装着部７の底面と時計ガラス９の下面との間に固定されると共に、弾性樹脂部材３０のパッキン部３１が時計ガラス９の外周面とガラス装着部７の内周面との間に固定される。このときには、腕時計ケース１の内周面に設けられた複数の係止凸部３３が弾性樹脂部材３０のパッキン部３１の切欠部３４から突出しているので、これら係止凸部３３によって時計ガラス９の脱落、および弾性樹脂部材３０、金属板３５、見切り部材１３のガタ付きを防ぐことができる。
【００３０】
また、この状態で腕時計ケース１に時計モジュール１４を組み付ける場合には、第１実施形態と同様、ハウジング１７内の回路基板１８上にインターコネクタ１９を配置し、この状態で時計モジュール１４を腕時計ケース１内に下側から挿入し、インターコネクタ１９の上端部をパネル取付部６に設けられたスリット状の挿入孔６ａに下側から挿入させて表示パネル８の両端下面の接続端子に接触させる。そして、腕時計ケース１の下面に裏蓋１５を取り付けると、ハウジング１７の押えゴム２０が裏蓋１５に押圧されるので、時計モジュール１４が腕時計ケース１内に固定される。このときにも、インターコネクタ１９が表示パネル８の両端下面に弾接して表示パネル８を弾力的に押し上げて支持すると共に、このインターコネクタ１９によって表示パネル８と回路基板１８とが電気的に接続される。
【００３１】
このように、この腕時計では、表示パネル８の上面周囲に弾性樹脂部材の緩衝部３２を配置し、この緩衝部３２の上面に枠状の金属板３５を配置し、且つこの金属板３５上に枠状の見切り部材１３を配置し、この状態で時計ガラス９をガラス装着部７に取り付けることにより、見切り部材１３、金属板３５、および弾性樹脂部材３０の緩衝部３２を固定したので、緩衝部３２全体を金属板３５で覆って押え込むことができる。このため、外部から衝撃が加わっても、その衝撃が金属板３５によって緩衝部３２の一部分に集中するのを防ぐことができ、これにより緩衝部３２全体で衝撃を吸収することができるので、第１実施形態と同様、衝撃によって表示パネル８が破損するのを防ぐことができる。この場合にも、表示パネル８がインターコネクタ１９によって弾力的に上方に押圧されているので、外部から衝撃が加わっても、その衝撃をインターコネクタ１９と緩衝部３２との両方で吸収することができ、このため、より一層確実に、表示パネル８の破損を防ぐことができる。
【００３２】
また、この腕時計においても、第１実施形態と同様、腕時計ケース１内の上面側にパネル取付部６を形成し、その上側にガラス装着部７を形成して、パネル取付部６に表示パネル８を取り付け、その上側のガラス装着部７に時計ガラス９を装着したので、時計全体の薄型化を図ることができるほか、特に弾性樹脂部材３０が、時計ガラス９の外周面とガラス装着部７の内周面との間に配置されるパッキン部３１と、表示パネル８の上面周囲に配置されるほぼ枠状の緩衝部３２とを、一体に形成した構造であるから、部品点数を削減することもできる。また、この場合にも、腕時計ケース１には、金属板３５の下面に対応するガラス装着部７の底面から腕時計ケース１の下面に貫通する複数の貫通孔２１が設けられているので、時計ガラス９を取り外すときに、腕時計ケース１の下側から各貫通孔２１に工具を差し込んで、弾性樹脂部材３０の緩衝部３２、金属板３５、および見切り部材１３を介して時計ガラス９を押し上げることにより、表示パネル８を傷付けることなく、時計ガラス９をガラス装着部７から簡単に取り外すことができる。
【００３３】
さらに、この腕時計でも、弾性樹脂部材３０の緩衝部３２に、その内側端部から各貫通孔２１にそれぞれ連続する複数の切欠溝部２２を設けたので、腕時計ケース１のパネル取付部６に表示パネル８を取り付けた状態で、ガラス装着部７に時計ガラス９を装着するときに、時計ガラス９と表示パネル８との間の空気が圧縮されても、この圧縮された空気が各切欠溝部２２から各貫通孔２１を通って腕時計ケース１の下面側に抜けるので、腕時計ケース１の内部を均一な空気圧にすることができる。このため、ガラス装着部７に時計ガラス９を装着するときに、圧縮された空気が表示パネル８に加わらないようにすることができ、これにより表示パネル８で時刻などの情報を良好に表示させることができる。
【００３４】
なお、上記第１、第２実施形態では、腕時計ケース１の上面側に表示パネル８および時計ガラス９を取り付けた状態で、腕時計ケース１内に時計モジュール１４を組み込む場合について述べたが、これに限らず、予め、腕時計ケース１内に時計モジュール１４を組み込んで、インターコネクタ１９をパネル取付部６の挿入孔６ａ内に挿入させ、この状態で腕時計ケース１の上面側に表示パネル８および時計ガラス９を取り付けるようにしても良い。
また、上記第１、第２実施形態では、緩衝部材１１の上面または弾性樹脂部材３０の緩衝部３２の上面に、硬質部材として、金属板１２または３５を配置したが、必ずしも金属板１２または３５である必要はなく、硬質材料であれば、セラミックや合成樹脂などを用いても良い。
【００３５】
【発明の効果】
以上説明したように、請求項１に記載の発明によれば、腕時計ケースの上面側に形成されたパネル取付部に表示パネルを取り付け、その上側に形成されたガラス装着部に時計ガラスを装着したので、時計全体の薄型化を図ることができるほか、特に表示パネルの上面周囲に枠状の緩衝部材を配置し、この緩衝部材の上面に枠状の硬質部材を配置し、この状態で時計ガラスをガラス装着部に取り付けることによって硬質部材および緩衝部材を固定したので、緩衝部材全体を硬質部材で覆って押え込むことができ、このため外部から衝撃が加わっても、その衝撃が硬質部材によって緩衝部材の一部分に集中するのを防ぐことができ、これにより緩衝部材全体で衝撃を吸収することができるので、衝撃によって表示パネルが破損するのを防ぐことができる。
【００３６】
また、請求項２に記載の発明によれば、腕時計ケースの上面側に形成されたパネル取付部に表示パネルを取り付け、その上側に形成されたガラス装着部に時計ガラスを装着したので、上記と同様、時計全体の薄型化を図ることができるほか、特に弾性樹脂部材が、時計ガラスとガラス装着部との間に配置されるパッキン部と、表示パネルの上面周囲に配置されるほぼ枠状の緩衝部とを、一体に形成した構造であるから、部品点数を削減することができると共に、弾性樹脂部材の緩衝部の上面に枠状の硬質部材を配置し、この状態で時計ガラスをガラス装着部に取り付けることによって弾性樹脂部材と硬質部材とを固定したので、弾性樹脂部材の緩衝部全体を硬質部材で覆って押え込むことができ、このため外部から衝撃が加わっても、その衝撃が硬質部材によって緩衝部の一部分に集中するのを防ぐことができ、これにより緩衝部全体で衝撃を吸収することができるので、衝撃によって表示パネルが破損するのを防ぐことができる。
【００３７】
この場合、表示パネルの下面に形成された接続端子に弾接する弾性接続部材を有し、この弾性接続部材によって表示パネルが上方に押圧されていることにより、衝撃が加わっても、その衝撃を弾性接続部材と緩衝部材との両方、または弾性接続部材と弾性樹脂部材の緩衝部との両方で吸収することができ、このため、より一層確実に、表示パネルの破損を防ぐことができる。
また、腕時計ケースには硬質部材の下面に対応する上面側の個所から腕時計ケースの下面に貫通する貫通孔が設けられていることにより、時計ガラスを取り外すときに、腕時計ケースの下側から貫通孔に工具を差し込んで、緩衝部材または緩衝部、および硬質部材を介して時計ガラスを押し上げることにより、時計ガラスをガラス装着部から簡単に取り外すことができる。このため、工具が表示パネルに接触することがないので、表示パネルを傷付けることがなく、容易に且つ良好に表示パネルを取り外すことができる。
【００３８】
さらに、緩衝部材または弾性樹脂部材の緩衝部にはその内周側の端部から貫通孔に連続する切欠溝部が設けられていることにより、腕時計ケースのパネル取付部に表示パネルを取り付けた状態で、ガラス装着部に時計ガラスを装着するときに、時計ガラスと表示パネルとの間の空気が圧縮されても、この圧縮された空気が切欠溝部から貫通孔を通って腕時計ケースの下面側に抜けるので、腕時計ケースの内部を均一な空気圧にすることができ、このためガラス装着部に時計ガラスを装着しても、圧縮された空気が表示パネルに加わらないようにすることができ、これにより表示パネルで情報を良好に表示させることができる。
【図面の簡単な説明】
【図１】この発明の腕時計の第１実施形態を示した正面図。
【図２】図１のＡ−Ａ矢視における拡大断面図。
【図３】図２の分解斜視図。
【図４】図３の腕時計ケースの正面図。
【図５】図４の腕時計ケース内の上面側に表示パネルと緩衝部材を配置した状態の正面図。
【図６】図１のＢ−Ｂ矢視における要部の拡大断面図。
【図７】この発明の腕時計の第２実施形態を示した断面図。
【図８】図７の腕時計ケースの斜視図。
【図９】図７の弾性樹脂部材の斜視図。
【符号の説明】
１  腕時計ケース
６  パネル取付部
７  ガラス装着部
８  表示パネル
９  時計ガラス
１１  緩衝部材
１２、３５  金属板
１４  時計モジュール
１８  回路基板
１９  インターコネクタ
２１  貫通孔
２２  切欠溝部
３０弾性樹脂部材
３１  パッキン部
３２  緩衝部
【図１】
2004264187.tif 000003
【図２】
2004264187.tif 000004
【図３】
2004264187.tif 000005
【図４】
2004264187.tif 000006
【図５】
2004264187.tif 000007
【図６】
2004264187.tif 000008
【図７】
2004264187.tif 000009
【図８】
2004264187.tif 000010
【図９】
2004264187.tif 000011